(57)【要約】      （修正有）【課題】特別な道具を用いることなく、キャップの固定部分を容易に容器の口部分から取り外すことができる容器用キャップを提供する。【解決手段】容器用キャップ１０は、内周上方に容器の口部分のネジ山１２と係合するネジ山を持つキャップ本体１１と、該キャップ本体と切断可能な部分で連結された固定部分１３と、を有する。固定部分が切断可能な部分で連結された上部リングと、容器の口部分から抜け出るのを阻止する係止片が設けられた下部リングとからなる。上部リング１４と下部リング１６が連結部分で連結されており、下部リングを環状から帯状にするための下部リングの上端から下端に至る切断線が設けられている。【選択図】図２
2012158389.tif 000002
【特許請求の範囲】
【請求項１】
内周上方に容器の口部分のネジ山と係合するネジ山を持つキャップ本体と、該キャップ本体と切断可能な部分で連結された固定部分と、を有し、
該固定部分が切断可能な部分で連結された上部リングと、容器の口部分から抜け出るのを阻止する係止片が設けられた下部リングとからなり、前記上部リングと前記下部リングが連結部分で連結されており、
前記下部リングを環状から帯状にするための下部リングの上端から下端に至る切断線が設けられている、
ことを特徴とする容器用キャップ。
【請求項２】
請求項１記載の容器用キャップにおいて、前記連結部分がヒンジとして形成されていることを特徴とする容器用キャップ。
【請求項３】
請求項１記載の容器用キャップにおいて、前記キャップ本体と前記固定部分の前記上方リングとの間に連結部分が設けられていることを特徴とする容器用キャップ。
【請求項４】
請求項３記載の容器用キャップにおいて、前記連結部分がヒンジとして形成されていることを特徴とする容器用キャップ。
【発明の詳細な説明】
【技術分野】
【０００１】
本発明は、容器用キャップに関し、特に、プラスチック製（例えば、ＰＥＴ樹脂製）の容器を蓋するためのキャップに関する。
【背景技術】
【０００２】
プラスチック製の容器は、水、ジュース等の飲料を内容物として充填し、キャップで蓋をして市販されている。通常のキャップは、容器の口部分の外方に設けられたネジ山と係合するネジ山をキャップの内部に設けており、容器に飲料物を充填後、時計方向にキャップをネジ込むことにより、容器を密封し、反時計方向に回転することにより、密封を解除している。キャップは、主要な２つの部品、すなわち、上部のキャップ本体と、容器の口部分の環状溝に挿入された後には、抜け出るのを防止する機能を持つ下部の固定部分からなる。キャップ本体と固定部分は密封を解除されるときに、分離されるような例えばミシン目で連結されている。このため、密封を解除したとき、すなわち、蓋を開けたときには、キャップ本体だけが取り出され、固定部分は、容器の口に残ることになる。
【０００３】
容器の蓋を開けたとき、キャップ本体が固定部分から分離されるので、キャップ本体が紛失する恐れがある。この紛失を防止するために、キャップ本体と固定部分を連結する部分を設けたキャップがＷＯ２００９／００２０５７に提案されている。
【先行技術文献】
【特許文献】
【０００４】
【特許文献１】ＷＯ２００９／００２０５７
【発明の概要】
【発明が解決しようとする課題】
【０００５】
容器とキャップを製造する材質は、異なっており、幾つかの地方自治体においては容器とキャップを分けて収集する分別収集が要請されている。容器の口部分に残ったキャップの固定部分は、ニッパー等を用いて切断して容器の口部分から取り外さなければならず、時間と労力のかかるものである。
【課題を解決するための手段】
【０００６】
本発明の容器用キャップは、内周上方に容器の口部分のネジ山と係合するネジ山を持つキャップ本体と、該キャップ本体と切断可能な部分で連結された固定部分と、を有し、該固定部分が切断可能な部分で連結された上部リングと、容器の口部分から抜け出るのを阻止する係止片が設けられた下部リングとからなり、前記上部リングと前記下部リングが連結部分で連結されており、前記下部リングを環状から帯状にするための下部リングの上端から下端に至る切断線が設けられている、ことを特徴とする。
【発明の効果】
【０００７】
本発明によれば、特別な道具を用いることなく、キャップの固定部分を容易に容器の口部分から取り外すことができる容器用キャップを得ることができる。
【図面の簡単な説明】
【０００８】
【図１】容器とキャップを示す概略正面図である。
【図２】本発明の実施例１のキャップを示す図であり、図２ａは断面図であり、図２ｂは底面図であり、図２ｃは図２ａの矢印Ｃで示す拡大図であり、図２ｄは図２ａの矢印Ｄで示す拡大図である。
【図３】容器の口部分を示す正面図である。
【図４】本発明の実施例２のキャップを示す図であり、図４ａは断面図であり、図４ｂは底面図であり、図４ｃは図４ａの矢印Ｃで示す拡大図であり、図４ｄは図４ａの矢印Ｄで示す拡大図である。
【図５】容器からキャップを取り外したときの状態を説明するための図である。
【図６】容器の密封状態を解除したときの状態を説明するための図である。
【発明を実施するための形態】
【０００９】
本発明の容器用キャップは、内周上方に容器の口部分のネジ山と係合するネジ山を持つキャップ本体と、該キャップ本体と切断可能な部分で連結された固定部分と、を有する。固定部分が切断可能な部分で連結された上部リングと、容器の口部分から抜け出るのを阻止する係止片が設けられた下部リングとからなる。上部リングと下部リングが連結部分で連結されており、下部リングを環状から帯状にするための下部リングの上端から下端に至る切断線が設けられている。
【実施例１】
【００１０】
本発明のキャップ１０には、図１に示すように、上部内周にネジ山が設けられており、容器３０の口部分３１の上部外周に設けられたネジ山３２に時計方向に回転されてネジこまれて容器３０に蓋をする。蓋を開けるときは、反時計方向にキャップを回転する。容器３０の口部分３１の下部には、図１および図３に示すように、２つの環状の段部３４、３６が設けられており、それらの間に環状の溝３８が形成されている。
【００１１】
次に、図２を参照すると、キャップ１０は、キャップ本体１１と固定部分１３からなり、固定部分１３は上部リング１４と下部リング１６からなる。下部リング１６には、その下端から上方中心に向かって延びる係止片が間隔を空けて円周にわたって設けられている。係止片は、キャップが容器の口部分を蓋して密封するときには、半径方向外方に押されて広げられ、下部リング１６を溝３８に挿入することを可能にしている。図２ｃに示すように、上部リング１４と下部リング１６の間は切断可能な複数の連結部分２４が設けられている。これらの連結部分は切断可能であればよく、上部リング１４と下部リング１６の間がミシン目で形成されてもよい。
【００１２】
図２ｄの拡大図で示すように、上部リング１４と下部リング１６は連結部分、例えば、可撓性のヒンジ部分１８で連結されている。この連結部分は、ヒンジに代えて、帯状に形成してもよい。下部リング１６には、上部リング１４を上方に引っ張ったとき、切断可能な部分、例えば、ミシン目、部分的に切り込み等が設けられている。切断部分は、下部リング１６の上下方向（上端から下端に至る）の１つの線４３または４４、それら両方、または、斜めの１つの線４１または４２、それら両方で形成されるのが好ましく、ヒンジ部分１８に近接されて形成されるのが好ましい。
【００１３】
次に、図５を参照して、実施例１のキャップによる容器の口部分の開閉について説明する。なお、図５は、図示の便宜上、キャップ１０と容器３０を個々に図示している。最初、図示していないが、キャップ１０を時計方向に回転させて容器３０の口部分３１に対して蓋をする。このとき、キャップ本体１１は、口部分の段部３４より上部に至り、一方、固定部分１３は溝３８中に入る。蓋を開けるために、キャップ１０を反時計方向に回転させると、キャップ本体１１はネジ山によって案内されて、上昇する。このとき、下部リング１６の係止片２０の存在によって、下部リング１６は、段部３４に係合し、停止することになる。この結果、キャップ本体１１だけが持ち上げられ、キャップ本体１１と固定部分１３の上部リング１４の間に設けられミシン目２２が切断され、キャップ本体１１は、固定部分１３から分離される。また、同時に、固定部分１３の上部リング１４と下部リング１６に設けられた切断可能な連結部分２４が切断されて、上部リング１４と下部リング１６は連結部分であるヒンジ部分１８を残して分離されることになる。図５はこの状態を示している。
【００１４】
この状態で、固定部分１３の上部リング１４だけが段部３４より上方に突出する。なお、キャップ本体１１で、再び蓋をすれば、上部リング１４は溝３８中に戻される。しかし、上部リング１４だけを指でつまみ持ち上げることができる。
【００１５】
分別収集は、上部リング１４をつまみ、上方に持ち上げて引っ張ると、切断可能部分の線４１等の１つまたは２つが切断され、１つが切断されるときには、下部リング１６が開かれて帯状になり、下部リング１６を容易に、溝３８から取り出すことができ、２個所切断されるときも１本の帯になり、下部リング１６を容易に、溝３８から取り出すことができる。
【実施例２】
【００１６】
次に、図４および図６を参照して、実施例２のキャップを説明する。なお、図６は、図示の便宜上、キャップ１０と容器３０を個々に図示している。実施例２は、実施例１と主な異なる点として、キャップ本体１１と固定部分１３の上部リング１４との間にこれらを連結するヒンジ部分２１（帯状部分でもよい）が設けられていることである。したがって、実施例１と同様な構成については説明を省略する。
【００１７】
図４に示すように、ヒンジ部分２１がヒンジ部分１８とほぼ反対側に設けられている。ヒンジ部分２１に近接して１本の切断可能な線５１または５２を設けてもよい。図６に示すように、容器３０の蓋を開けると、実施例１と同様に、固定部分１３の上部リング１４は溝３８から抜け出る。このとき、キャップ本体１１と上部リング１４はヒンジ部分２１で連結されているので、分離されない。このため、キャップ本体１１の紛失が防止される。
【００１８】
分別収集の際には、キャップ本体１１または上部リング１４を引っ張りあげると、下部リング１６は帯状になり、また、切断部分の線５１または５２がもうけられているときには、その部分でも切断されて、上部リング１４は帯状になる。この結果、下部リング１６を容易に取り出すことができる。
【符号の説明】
【００１９】
１０  キャップ
１１  キャップ本体
１２  ネジ山
１３  固定部分
１４  上部リング
１６  下部リング
１８  ヒンジ部分
２１  ヒンジ部分
３０  容器
３１  口部分
３２  ネジ山
３４  段部
３６  段部
３８  溝部分
【図１】
2012158389.tif 000003
【図２】
2012158389.tif 000004
【図３】
2012158389.tif 000005
【図４】
2012158389.tif 000006
【図５】
2012158389.tif 000007
【図６】
2012158389.tif 000008
【手続補正書】
【提出日】平成24年5月22日(2012.5.22)
【手続補正１】
【補正対象書類名】特許請求の範囲
【補正対象項目名】全文
【補正方法】変更
【補正の内容】
【特許請求の範囲】
【請求項１】
内周上方に容器の口部分のネジ山と係合するネジ山を持つキャップ本体と、該キャップ本体と部分的に切断可能な部分で連結された固定部分と、を有し、
該固定部分は前記キャップ本体と部分的に切断可能な部分で連結された上部リングと、容器の口部分から抜け出るのを阻止する係止片が設けられた下部リングとからなり、前記上部リングと前記下部リングが連結部分で連結されており、
前記上部リングを環状から帯状にするために上部リングの上端から下端に至る切断線が設けられており、
前記下部リングを環状から帯状にするための下部リングの上端から下端に至る切断線が設けられている、
ことを特徴とする容器用キャップ。
【請求項２】
請求項１記載の容器用キャップにおいて、前記連結部分がヒンジとして形成されていることを特徴とする容器用キャップ。
【請求項３】
請求項１記載の容器用キャップにおいて、前記キャップ本体と前記固定部分の前記上方リングとの間に連結部分が設けられていることを特徴とする容器用キャップ。
【請求項４】
請求項３記載の容器用キャップにおいて、前記連結部分がヒンジとして形成されていることを特徴とする容器用キャップ。
【手続補正２】
【補正対象書類名】明細書
【補正対象項目名】０００６
【補正方法】変更
【補正の内容】
【０００６】
本発明の容器用キャップは、内周上方に容器の口部分のネジ山と係合するネジ山を持つキャップ本体と、該キャップ本体と部分的に切断可能な部分で連結された固定部分と、を有し、該固定部分は前記キャップ本体と部分的に切断可能な部分で連結された上部リングと、容器の口部分から抜け出るのを阻止する係止片が設けられた下部リングとからなり、前記上部リングと前記下部リングが連結部分で連結されており、前記上部リングを環状から帯状にするために上部リングの上端から下端に至る切断線が設けられており、前記下部リングを環状から帯状にするための下部リングの上端から下端に至る切断線が設けられている、ことを特徴とする。